(57)【要約】【課題】より効率的に紙葉類を処理することができる紙葉類処理方法、及び紙葉類処理システムを提供する。【解決手段】一実施形態に係る紙葉類処理方法は、識別情報を有するバッチカードと、デポジット情報が印刷されたデポジットカードと、被検査媒体とが重ねられた紙葉類の束から紙葉類を１枚ずつ取り込み、取り込まれた前記紙葉類を搬送し、搬送されている前記紙葉類の画像を読み取り、前記紙葉類の画像に基づいて、前記紙葉類が排除券であるか否か識別し、前記バッチカードから読み取った画像に基づいて前記識別情報を認識し、前記デポジットカードから読み取った画像を前記識別情報に対応付けて記憶し、識別の結果に基づいて、前記紙葉類を集積庫に区分し、識別の結果を前記識別情報と対応付けて記憶する。【選択図】図８
2014178863.tif 000002
【特許請求の範囲】
【請求項１】
紙葉類処理装置の紙葉類処理方法であって、
識別情報を有するバッチカードと、デポジット情報が印刷されたデポジットカードと、被検査媒体とが重ねられた紙葉類の束から紙葉類を１枚ずつ取り込み、
取り込まれた前記紙葉類を搬送し、
搬送されている前記紙葉類の画像を読み取り、
前記紙葉類の画像に基づいて、前記紙葉類が排除券であるか否か識別し、
前記バッチカードから読み取った画像に基づいて前記識別情報を認識し、
前記デポジットカードから読み取った画像を前記識別情報に対応付けて記憶し、
識別の結果に基づいて、前記紙葉類を集積庫に区分し、
識別の結果を前記識別情報と対応付けて記憶する、
紙葉類処理方法。
【請求項２】
紙葉類処理装置の紙葉類処理方法であって、
識別情報を有するバッチカードと、デポジット情報が印刷されたデポジットカードと、被検査媒体とが重ねられた紙葉類の束から紙葉類を１枚ずつ取り込み、
取り込まれた前記紙葉類を搬送し、
搬送されている前記紙葉類の画像を読み取り、
前記紙葉類の画像に基づいて、前記紙葉類が排除券であるか否か識別し、
前記バッチカードから読み取った画像に基づいて前記識別情報を認識し、
識別結果に基づいて、前記紙葉類を集積庫に区分し、
識別結果を前記識別情報と対応付けて記憶する、
紙葉類処理方法。
【請求項３】
前記バッチカードと、前記デポジットカードと、排除券であると識別された前記紙葉類とを重ねて集積する、請求項１または２に記載の紙葉類処理方法
【請求項４】
識別結果が正常であるか否か判断し、識別結果が異常であると判断した場合、前記デポジットカードに印刷されているデポジット情報の入力を促す情報を報知する請求項１または２に記載の紙葉類処理方法。
【請求項５】
識別情報を有するバッチカードと、デポジット情報が印刷されたデポジットカードと、被検査媒体とが重ねられた紙葉類の束から紙葉類を１枚ずつ取り込む取り込み部と、
取り込まれた前記紙葉類を搬送する搬送部と、
搬送されている前記紙葉類の画像を読み取る画像読取部と、
前記紙葉類の画像に基づいて、前記紙葉類が排除券であるか否か識別する識別部と、
前記バッチカードから読み取った画像に基づいて前記識別情報を認識する認識部と、
前記デポジットカードから読み取った画像を前記識別情報に対応付けて記憶する第１の記憶部と、
識別の結果に基づいて、前記紙葉類を集積庫に区分する区分処理部と、
識別の結果を前記識別情報と対応付けて記憶する第２の記憶部と、
を具備する紙葉類処理システム。
【発明の詳細な説明】
【技術分野】
【０００１】
本発明の実施形態は、紙葉類処理方法、及び紙葉類処理システムに関する。
【背景技術】
【０００２】
従来、例えば紙葉類の計数及び判別を行う紙葉類処理装置が実用化されている。紙葉類処理装置は、投入部に投入された紙葉類を１枚ずつ取り込み、紙葉類の検査装置に搬送する。検査装置は、紙葉類に対して種々の処理を行い紙葉類の券種、汚損度、及び真偽などを判別する。
【０００３】
また、計数の結果をより効率的に処理する為に、紙葉類処理装置は、識別番号が印刷されたバッチカードを処理する。紙葉類処理装置は、計数結果をバッチカードの識別番号に対応付けることができる。
【先行技術文献】
【特許文献】
【０００４】
【特許文献１】特開２００２−３３４３６２号公報
【発明の概要】
【発明が解決しようとする課題】
【０００５】
計数結果をバッチカードに対応付ける場合、予め、バッチカードの識別情報と、顧客、口座番号、及び金額などを示すデポジット情報とを人手により入力する必要がある。この入力が手間であるという課題がある。
【０００６】
本発明の目的は、より効率的に紙葉類を処理することができる紙葉類処理方法、及び紙葉類処理システムを提供することである。
【課題を解決するための手段】
【０００７】
一実施形態に係る紙葉類処理方法は、識別情報を有するバッチカードと、デポジット情報が印刷されたデポジットカードと、被検査媒体とが重ねられた紙葉類の束から紙葉類を１枚ずつ取り込み、取り込まれた前記紙葉類を搬送し、搬送されている前記紙葉類の画像を読み取り、前記紙葉類の画像に基づいて、前記紙葉類が排除券であるか否か識別し、前記バッチカードから読み取った画像に基づいて前記識別情報を認識し、前記デポジットカードから読み取った画像を前記識別情報に対応付けて記憶し、識別の結果に基づいて、前記紙葉類を集積庫に区分し、識別の結果を前記識別情報と対応付けて記憶する。
【図面の簡単な説明】
【０００８】
【図１】図１は、一実施形態に係る紙葉類検査システムについて説明する為の図である。
【図２】図２は、一実施形態に係る紙葉類処理装置について説明する為の図である。
【図３】図３は、一実施形態に係る紙葉類処理装置について説明する為の図である。
【図４】図４は、一実施形態に係る紙葉類処理装置について説明する為の図である。
【図５】図５は、一実施形態に係る紙葉類処理装置について説明する為の図である。
【図６】図６は、一実施形態に係るバッチカードについて説明する為の図である。
【図７】図７は、一実施形態に係るデポジットカードについて説明する為の図である。
【図８】図８は、一実施形態に係る紙葉類処理装置について説明する為の図である。
【発明を実施するための形態】
【０００９】
以下、図面を参照しながら紙葉類の紙葉類処理方法、及び紙葉類処理システムの実施形態について、詳細に説明する。  
図１は、一実施形態に係る紙葉類処理システム１の構成の例を示す。  
紙葉類処理システム１は、少なくとも１台以上の紙葉類処理装置１００、再検査装置２００、及びサーバ３００を備える。紙葉類処理装置１００、再検査装置２００、及びサーバ３００は、ネットワークを介して互いにデータを送受信可能な状態で接続されている。
【００１０】
紙葉類処理装置１００は、投入された複数枚の紙葉類（被検査媒体）を一枚ずつ高速で取り込み、取り込んだ紙葉類の券種（ｃａｔｅｇｏｒｙ）、正損（ｆｉｔｎｅｓｓ）、及び真偽（ａｕｔｈｅｎｔｉｃａｔｉｏｎ）などを検査する。また、紙葉類処理装置１００は、紙葉類を計数する。さらに、紙葉類処理装置１００は、検査済みの再使用可能な紙葉類を結束して排出する。
【００１１】
また、紙葉類処理装置１００は、各紙葉類毎に再検査が必要であるか否か判断する。紙葉類処理装置１００は、再検査が必要であると判断された紙葉類を排除券として排出する。
【００１２】
なお、紙葉類処理装置１００は、紙葉類の束に重ねられたバッチカード及びデポジットカードを処理する。バッチカードには、固有の識別情報（ＩＤ）がバーコード、二次元コードまたは他の方法により印刷されている。紙葉類処理装置１００は、バッチカードの画像を読み取り、バッチカードの識別情報を認識することができる。なお、バッチカード及びデポジットカードについては後述する。
【００１３】
紙葉類処理装置１００は、紙葉類の計数結果と、バッチカードの識別情報とを検査結果として対応付ける。紙葉類処理装置１００は、検査結果をサーバ３００に送信する。
【００１４】
また、紙葉類処理装置１００は、バッチカード及びデポジットカードを排除券として排出する。即ち、紙葉類処理装置１００は、再検査が必要であると判断された紙葉類と、バッチカードと、デポジットカードとの束を排除券として排出する。
【００１５】
サーバ３００は、紙葉類処理装置１００から送信された検査結果にインデックスを付し、サーバ３００内の記憶媒体に格納する。
【００１６】
また、紙葉類処理装置１００、及び再検査装置２００を操作するオペレータは、紙葉類処理装置１００から排出された排除券を再検査装置２００に投入する。再検査装置２００は、投入された排除券を再検査する。
【００１７】
再検査装置２００は、紙葉類の計数結果と、バッチカードの識別情報とを再検査結果として対応付ける。再検査装置２００は、対応付けられた再検査結果をサーバ３００に送信する。
【００１８】
サーバ３００は、再検査装置２００から送信された再検査結果を紙葉類処理装置１００から送信された検査結果に組み合わせ、組み合わされた検査結果をサーバ３００内の記憶媒体に格納する。例えば、サーバ３００は、再検査結果を、再検査結果に含まれている識別情報と一致する識別情報を含む検査結果に加算する。
【００１９】
図２は、一実施形態に係る紙葉類処理装置１００の外観を示す。  
図２に示すように、紙葉類処理装置１００は、装置外部に、投入部１１２、操作部１３６、操作表示部１３７、ドア１３８、取出口１３９、及びキーボード１４０を備えている。
【００２０】
投入部１１２は、紙葉類Ｐを投入するための構成である。投入部１１２は、重ねられた状態の紙葉類Ｐをまとめて受け入れる。なお、上記したように、紙葉類Ｐの束には、バッチカード及びデポジットカードが重ねられている。
【００２１】
操作部１３６は、オペレータによる各種操作入力を受け付ける。操作表示部１３７は、オペレータに対して各種の操作案内、及び処理結果などを表示する。なお、操作表示部１３７は、タッチパネルとして構成されていてもよい。この場合、紙葉類処理装置１００は、操作表示部１３７に表示されるボタンと、操作表示部１３７に対するオペレータによる操作と、に基づいて、各種の操作入力を検知する。
【００２２】
ドア１３８は、投入部１１２の投入口を開閉する為のドアである。取出口１３９は、紙葉類処理装置１００により再流通不可と判断された紙葉類Ｐがスタックされる集積部から紙葉類Ｐを取り出す為の構成である。キーボード１４０は、オペレータによる各種操作入力を受け付ける入力部として機能する。
【００２３】
図３は、図２の紙葉類処理装置１００の構成例を示す。  
紙葉類処理装置１００は、装置内部に、投入部１１２、取出部１１３、吸着ローラ１１４、搬送路１１５、検査部１１６、ゲート１２０乃至１２５、排除搬送路１２６、排除集積部１２７、集積・結束部１２８乃至１３１、裁断部１３３、及びスタッカ１３４を備える。また、紙葉類処理装置１００は、主制御部１５１を備える。主制御部１５１は、紙葉類処理装置１００の各部の動作を統合的に制御する。
【００２４】
取出部１１３は、投入部の上部に設けられる。取出部１１３は、吸着ローラ１１４を備えている。吸着ローラ１１４は、投入部１１２にセットされた紙葉類Ｐを集積方向の上端に接するように設けられている。即ち、吸着ローラ１１４は、回転することにより、投入部１１２にセットされた紙葉類Ｐを集積方向の上端から１枚ずつ装置内部に取り込む。吸着ローラ１１４は、たとえば、１回転するごとに１枚の紙葉類Ｐを取出すように機能する。これにより、吸着ローラ１１４は、紙葉類Ｐを一定のピッチで取出す。吸着ローラ１１４により取り込まれた紙葉類Ｐは、搬送路１１５に導入される。また、吸着ローラ１１４は、例えば真空ポンプによる吸引力を使って紙葉類の表面に吸着して取り出す吸着ロータを備える構成であってもよい。
【００２５】
搬送路１１５は、紙葉類Ｐを紙葉類処理装置１００内の各部に搬送する。搬送路１１５は、図示しない搬送ベルト及び駆動プーリなどを備えている。搬送路１１５は、図示しない駆動モータ及び駆動プーリにより搬送ベルトを動作させる。搬送路１１５は、吸着ローラ１１４により取り込まれた紙葉類Ｐを搬送ベルトにより一定速度で搬送する。なお、搬送路１１５における取出部１１３に近い側を上流側、スタッカ１３４に近い側を下流側として説明する。
【００２６】
取出部１１３から延びた搬送路１１５上には、検査部１１６が設けられている。検査部１１６は、画像読取装置１１７、画像読取装置１１８、及び厚み検査部１１９を備えている。検査部１１６は、紙葉類Ｐの光学的特徴情報、機械的特徴、及び磁気的特長情報を検出する。これにより、紙葉類処理装置１００は、紙葉類Ｐの種類（券種）、汚損度、及び真偽などを検知する。
【００２７】
画像読取装置１１７、及び１１８は、それぞれ搬送路１１５を挟んで対面するように設けられている。画像読取装置１１７、及び１１８は、搬送路１１５を搬送される紙葉類Ｐの両面の画像を読み取る。画像読取装置１１７、及び１１８は、それぞれ、Ｃｈａｒｇｅ  Ｃｏｕｐｌｅｄ  Ｄｅｖｉｃｅ（ＣＣＤ）またはＣｏｍｐｌｉｍｅｎｔａｒｙ  Ｍｅｔａｌ  Ｏｘｉｄｅ  Ｓｅｍｉｃｏｎｄｕｃｔｏｒ（ＣＭＯＳ）などの受光素子が複数配列された構成と光学系とを備える。受光素子は、受光した光を電気信号、即ち画像に変換する。光学系は、例えばレンズ、または導光部材などの、光を受光し、受光した光を受光素子に結像させる構成を備える。
【００２８】
紙葉類処理装置１００は、画像読取装置１１７、及び１１８により撮像した画像に基づいて、紙葉類Ｐの表面及び裏面の模様画像を取得する。また、画像読取装置１１７、及び１１８は、バッチカードに印字された識別情報を含む画像（バッチカード画像）を取得し、取得した画像を主制御部１５１に送信する。またさらに、画像読取装置１１７、及び１１８は、デポジットカードの券面の画像を取得し、取得した画像（デポジットカード画像）を主制御部１５１に送信する。
【００２９】
画像読取装置１１７、及び１１８は、読み取った画像を検査部１１６内の図示しないメモリに一時的に記憶する。紙葉類処理装置１００は、このメモリに記憶されている画像を操作入力に応じて操作表示部１３７に表示することができる。
【００３０】
厚み検査部１１９は、搬送路１１５を搬送される紙葉類Ｐの厚みを検査する。例えば、検出した厚みが規定値以上である場合、紙葉類処理装置１００は、紙葉類Ｐの２枚取りを検出する。
【００３１】
また、検査部１１６は、図示しない磁気センサなどを備えている。磁気センサは、紙葉類Ｐの磁気的な特徴情報を検出する。
【００３２】
主制御部１５１は、画像読取装置１１７、１１８、厚み検査部１１９、及び磁気センサなどによる検出結果に基づいて、各種の判別を行う。例えば、主制御部１５１は、紙葉類Ｐの券種（ｄｅｎｏｍｉｎａｔｉｏｎ）またはカテゴリを判定する。
【００３３】
また、主制御部１５１は、紙葉類Ｐの真偽（ａｕｔｈｅｎｔｉｃａｔｉｏｎ）を判定する。すなわち、主制御部１５１は、紙葉類Ｐが真券(ｇｅｎｕｉｎｅ)であるか、偽券(ｃｏｕｎｔｅｒｆｅｉｔ)であるかを判定する。
【００３４】
また、主制御部１５１は、紙葉類Ｐの正損（ｆｉｔｎｅｓｓ）を検知する。即ち、主制御部１５１は、紙葉類Ｐが再流通可能な正券（ｆｉｔ  ｓｈｅｅｔ）であるか、再流通不可能な損券（ｕｎｆｉｔ  ｓｈｅｅｔ）であるかを判定する。
【００３５】
さらに、主制御部１５１は、紙葉類Ｐが排除券であるか否か判定する。すなわち、主制御部１５１は、偽券と判定された紙葉類Ｐ、または厚み検査部１１９により重なりが検知された紙葉類Ｐ、または判別が不可能であった紙葉類Ｐを排除券と判定する。例えば、主制御部１５１は、バッチカード及びデポジットカードを排除券と判定する。
【００３６】
また、主制御部１５１は、搬送経路中で前の紙葉類Ｐと後ろの紙葉類Ｐとの間隔が短い為に各検出器による検出が正しく行われないショートピッチが発生した紙葉類Ｐを排除券と判定する。
【００３７】
紙葉類処理装置１００は、正券と判定した紙葉類Ｐを集積・結束部１２８乃至１３１に搬送する。また、紙葉類処理装置１００は、損券と判定した紙葉類Ｐを裁断部１３３に搬送する。裁断部１３３は、搬送される損券を裁断する。なお、紙葉類処理装置１００は、損券をスタッカ１３４に搬送し集積してもよい。例えば、スタッカ１３４は、集積した損券が例えば１００枚に到達するごとに施封を行う。
【００３８】
紙葉類処理装置１００は、排除券と判定した紙葉類Ｐを排除集積部１２７に搬送する。排除券は、例えば、２枚取り券などの搬送異常券、折れまたは破れなどが存在する不良券、及び適用外券種または偽券などの判別不能券を含む。また、紙葉類処理装置１００は、紙葉類Ｐ及び紙葉類Ｐの間に挿入されたバッチカード及びデポジットカードを排除券として排除集積部１２７に搬送する。
【００３９】
検査部１１６の下流側の搬送路１１５上には、ゲート１２０乃至１２５が順に配設されている。ゲート１２０乃至１２５は、それぞれ、主制御部１５１により制御される。主制御部１５１は、検査部１１６による検査の結果に基づいて各ゲート１２０乃至１２５の動作を制御する。これにより、主制御部１５１は、搬送路１１５を搬送されている紙葉類Ｐを所定の処理部に搬送するように制御する。
【００４０】
検査部１１６の直後に配設されたゲート１２０は、搬送路１１５を排除搬送路１２６に分岐する。即ち、ゲート１２０は、検査部１１６による検査の結果、真券ではないと判定された排除券、または、検査部１１６による検査を行うことができない検査不能券等を排除搬送路１２６に搬送するように切り替えられる。
【００４１】
排除搬送路１２６の終端部には、排除集積部（排除部）１２７が設けられている。排除集積部１２７は、取出部１１３にて取出した姿勢のまま、上記したような排除券、及び検査不能券を集積する。排除集積部１２７に集積された紙葉類Ｐは、取出口１３９から取り出すことができる。
【００４２】
また、ゲート１２１乃至１２４により分岐される先には、集積・結束部１２８乃至１３１（総じて集積結束部１３２と称する）がそれぞれ設けられている。集積・結束部１３２には、再流通可能であると判定された紙葉類Ｐが券種及び表裏毎に区別されて集積される。集積・結束部１３２は、集積した紙葉類Ｐを所定枚数毎に結束して格納する。
【００４３】
ゲート１２５により分岐される先には、裁断部１３３が配設されている。裁断部１３３は、紙葉類Ｐを裁断して収納する。ゲート１２５に搬送される紙葉類Ｐは、正規の紙葉類Ｐであり、且つ、再流通が不可能であると判定された紙葉類Ｐ（損券）である。
【００４４】
また、ゲート１２５により分岐される他方の搬送路の先には、スタッカ１３４が配設されている。主制御部１５１は、損券裁断モードが選択されている場合、紙葉類Ｐを裁断部１３３に搬送するようにゲート１２５を制御する。また、主制御部１５１は、損券裁断モードが選択されていない場合、紙葉類Ｐをスタッカ１３４に搬送するようにゲート１２５を制御する。
【００４５】
なお、オペレータは、操作部１３６、操作表示部１３７、及びキーボード１４０などを操作することにより、紙葉類処理装置１００に処理させる紙葉類Ｐの種類（券種）を任意で設定させることができる。
【００４６】
図４は、図２及び図３の紙葉類処理装置１００の制御系の構成例を示す。  
紙葉類処理装置１００は、主制御部１５１、検査部１１６、搬送制御部１５２、裁断制御部１５６、操作表示部１３７、キーボード１４０、などを備える。また、紙葉類処理装置１００は、プリンタ１４１、ＵＳＢハブ１６１、トランスポートコントローラ１６２、バンダーコントローラ１６３、及び検知コントローラ１６４などを備える。
【００４７】
主制御部１５１は、紙葉類処理装置１００の全体的な制御を司る。主制御部１５１は、例えば、ＰＣ（パーソナルコンピュータ）等の一部により実現することができる。
【００４８】
主制御部１５１は、操作表示部１３７により入力される操作、及び検査部１１６による検査結果に基づき、搬送制御部１５２及び裁断制御部１５６を制御する。また、主制御部１５１は、検査結果などをプリンタ１４１により帳票として出力することができる。
【００４９】
また、主制御部１５１には、ＵＳＢハブ１６１が接続されている。また、ＵＳＢハブ１６１には、トランスポートコントローラ１６２、バンダーコントローラ１６３、及び検知コントローラ１６４などが接続されている。
【００５０】
主制御部１５１は、トランスポートコントローラ１６２を介して、搬送制御部１５２、裁断制御部１５６、及び取出部１１３などの動作を制御することができる。また、主制御部１５１は、バンダーコントローラ１６３を介して、集積・結束部１２８乃至１３１の動作を制御することができる。また、主制御部１５１は、検知コントローラ１６４を介して、検査部１１６の各検出機器の動作を制御することができる。
【００５１】
例えば、操作員は、操作表示部１３７またはキーボード１４０により、処理する紙葉類Ｐに対する各種の判定における処理項目毎の閾値、及び処理方法などを入力する。
【００５２】
検査部１１６は、上記したように、画像読取装置１１７、及び１１８、及び厚み検査部１１９などを備える。
【００５３】
搬送制御部１５２は、主制御部１５１の制御に基づき、取出部１１３、搬送路１１５、排除搬送路１２６、及びゲート１２０乃至１２５を制御する。これにより、搬送制御部１５２は、紙葉類Ｐの取り込み及び搬送を制御する。また、搬送制御部１５２は、判定した紙葉類Ｐの券種毎に区分する区分処理を行う。即ち、搬送制御部１５２は、区分処理部として機能する。
【００５４】
例えば、搬送制御部１５２は、損券と判定された紙葉類Ｐを裁断部１３３、またはスタッカ１３４に搬送するようにゲート１２０乃至１２５を制御する。また、搬送制御部１５２は、排除券と判定された紙葉類Ｐ、バッチカード、及びデポジットカードを排除集積部１２７に搬送するようにゲート１２０乃至１２５を制御する。
【００５５】
バンダーコントローラ１６３は、主制御部１５１の制御に基づき、排除集積部１２７及び集積・結束部１２８乃至１３１を制御する。これにより、バンダーコントローラ１６３は、紙葉類Ｐの集積、及び結束の制御を行なう。
【００５６】
裁断制御部１５６は、主制御部１５１の制御に基づき、裁断部１３３の動作を制御する。これにより、裁断部１３３は、搬送される紙葉類Ｐの裁断を行う。
【００５７】
また、主制御部１５１は、画像読取装置１１７及び１１８により取得されたバッチカードの識別情報の画像に基づいて、バッチカードの識別情報を認識することができる。
【００５８】
なお、主制御部１５１は、集積・結束部１３２または裁断部１３３に搬送された紙葉類Ｐの計数結果と、バッチカードの識別情報とを対応付けて検査結果として記憶する。また、主制御部１５１は、検査結果をサーバ３００に送信する。
【００５９】
また、主制御部１５１は、検査部１１６の各検査器による検査項目毎の閾値を予め記憶するメモリ１５１ａを備える。主制御部１５１は、検査部１１６の各検査器により検出された検出値と、メモリ１５１ａに記憶されている閾値とを比較し、比較結果に基づいて紙葉類Ｐの券種、真偽、正損、紙葉類Ｐが排除券であるか否かなどを判定する。
【００６０】
なお、メモリ１５１ａに記憶されている閾値は、操作部１３６、操作表示部１３７、及びキーボード１４０などに対する入力に基づいて変更されてもよい。
【００６１】
また、主制御部１５１は、検査部１１６の画像読取部１１７及び１１８により読み取ったデポジットカードの画像と、バッチカードの識別情報とを対応付けて記憶するメモリ１５１ｂを備える。またさらに、主制御部１５１は、バッチカードの識別情報と、バッチカードの画像と、デポジットカードの画像と、検査結果とを対応付けてメモリ１５１ｂに記憶する構成であってもよい。またさらに、主制御部１５１は、検査結果にバッチカードの識別情報及びデポジットカードの画像を対応付けてサーバ３００に送信する構成であってもよい。
【００６２】
図５乃至図７は、バッチカード、デポジットカード、及び紙葉類Ｐの束の例を示す。図５は、紙葉類Ｐの束５５の例を示す。図６は、バッチカード５３の例を示す。図７は、デポジットカード５４の例を示す。  
図５に示されるように、紙葉類Ｐの束５５は、所定の枚数（例えば１０００枚）の紙葉類Ｐと、バッチカード５３と、デポジットカード５４とが重ねられたものである。例えば、紙葉類Ｐの束５５は、バッチカード５３と、デポジットカード５４とが紙葉類Ｐを挟むように束ねられる。即ち、紙葉類Ｐの束５５は、バッチカード５３、所定の枚数（例えば１０００枚）の紙葉類Ｐ、デポジットカード５４の順で束ねられる。
【００６３】
バッチカード５３は、紙葉類Ｐと同一の外径寸法、あるいは、紙葉類Ｐよりも大きな外径寸法に形成され、且つ表面または裏面に識別情報を示す印刷が施された紙葉類である。図６に示されるように、バッチカード５３は、識別情報がコード化されたバーコード５３１、及び識別情報を示す文字列５３２などの印刷を有する。紙葉類処理装置１００の主制御部１５１は、バッチカード画像のバーコード５３１または文字列５３２を解析することにより、バッチカード５３の識別情報を取得することができる。なお、バッチカード５３の識別情報は、バーコードに限らず二次元コードまたは他の方法によりコード化されて印刷されてもよい。なお、バッチカード５３は、紙葉類処理装置１００または再検査装置２００によりバッチカード５３であることが識別可能なパターンが印刷されている。
【００６４】
デポジットカード５４は、紙葉類Ｐと同一の外径寸法、あるいは、紙葉類Ｐよりも大きな外径寸法に形成され、且つ表面または裏面にデポジット情報を示す印刷が施された紙葉類である。図７に示されるように、デポジットカード５４は、顧客を示す文字列、顧客を示す番号、日時を示す情報、束５５を作成した職員名、及び金額を示す情報などを含むデポジット情報を示す印刷５４１を有する。紙葉類処理装置１００の主制御部１５１は、デポジット画像をメモリ１５１ｂに記憶する。さらに、主制御部１５１は、予め設定された条件に該当する場合にメモリ１５１ｂからデポジット画像を読み出し、操作表示部１３７に表示させる。これにより、紙葉類処理装置１００は、デポジットカード５４に記載されたデポジット情報を操作員に認識させることができる。なお、デポジットカード５４は、紙葉類Ｐと容易に視別することができる券面となっている。また、例えば、デポジットカード５４は、紙葉類処理装置１００または再検査装置２００によりデポジットカード５４であることが識別可能なパターンが印刷されていてもよい。
【００６５】
図８は、紙葉類処理装置１００の処理の例を示す。  
紙葉類処理装置１００は、処理単位（シフトと称する）毎に処理予定の処理予定情報をサーバ３００から予めダウンロードする。処理情報は、顧客を示す情報と、シフト内の紙葉類Ｐの合計枚数を示す情報とを有する。なお、紙葉類Ｐの束５５は、シフト内に複数含まれていてもよい。
【００６６】
操作員は、紙葉類処理装置１００を起動し、種々の設定を行う。操作員は、束５５を紙葉類処理装置１００の投入部１１２にセットし、操作表示部１３７により処理を開始させる。
【００６７】
処理を開始した場合、紙葉類処理装置１００は、紙葉類Ｐを一枚ずつ取り込む（ステップＳ１１）。これにより、紙葉類処理装置１００は、紙葉類Ｐを検査部１１６に搬送する。さらに、紙葉類処理装置１００は、検査部１１６の画像読取部１１７及び１１８により紙葉類Ｐの画像を取得する（ステップＳ１２）。
【００６８】
なお、束５５にはバッチカード５３及びデポジットカード５４が重ねられている。操作員は、バッチカード５３が最初に紙葉類処理装置１００に取り込まれるように束５５をセットする。これにより、紙葉類処理装置１００は、バッチカード５３のバッチカード画像を最初に取得する。
【００６９】
紙葉類処理装置１００は、検査部１１６で検知された情報に基づいて、識別処理を行う（ステップＳ１３）。まず、紙葉類処理装置１００は、バッチカード画像に基づいて識別処理を行う。この場合、紙葉類処理装置１００は、バッチカード５３を排除券であると判定する。
【００７０】
紙葉類処理装置１００は、識別処理の結果に基づいて、区分処理を行う（ステップＳ１４）。なお、紙葉類処理装置１００は、排除券であると判定したバッチカード５３を排除集積部１２７に搬送する。
【００７１】
紙葉類処理装置１００は、後続の紙葉類Ｐの有無を判断する（ステップＳ１５）。後続の紙葉類Ｐが存在すると判断した場合、紙葉類処理装置１００は、ステップＳ１１に移行し、後続の紙葉類Ｐを処理する。
【００７２】
束５５を処理する場合、紙葉類処理装置１００は、バッチカード５３の後続の紙葉類Ｐを処理することになる。この場合、紙葉類処理装置１００は、紙葉類Ｐから読み取った画像に基づいて、紙葉類Ｐの真偽、正損、及びカテゴリを識別する。さらに、紙葉類処理装置１００は、識別結果に応じた集積庫に紙葉類Ｐを区分する。例えば、紙葉類処理装置１００は、偽券と判定された紙葉類Ｐ、または厚み検査部１１９により重なりが検知された紙葉類Ｐ、または判別が不可能であった紙葉類Ｐを排除券と判定する。紙葉類処理装置１００は、排除券であると判定した紙葉類Ｐを排除集積部１２７に搬送する。
【００７３】
また、束５５のように紙葉類Ｐとバッチカード５３とデポジットカード５４とが重ねられている場合、紙葉類処理装置１００は、最後にデポジットカード５４を処理することになる。この場合、紙葉類処理装置１００は、デポジットカード５４のデポジットカード画像を最後に取得する。
【００７４】
紙葉類処理装置１００は、デポジットカード画像に基づいて識別処理を行う。この場合、紙葉類処理装置１００は、デポジットカード５４を排除券であると判定する。紙葉類処理装置１００は、排除券であると判定したデポジットカード５４を排除集積部１２７に搬送する。
【００７５】
この結果、排除集積部１２７には、バッチカード５３、排除券であると判定された紙葉類Ｐ、デポジットカード５４の順で排除券（排除券束）が集積される。
【００７６】
また、紙葉類処理装置１００は、ステップＳ１５で後続の紙葉類Ｐが存在しないと判断した場合、バッチカード５３から読み取った識別情報と、紙葉類Ｐの計数結果とを対応付け、検査結果を取得する。紙葉類処理装置１００は、検査結果をサーバ３００に送信する。
【００７７】
なお、紙葉類処理装置１００の主制御部１５１は、デポジットカード画像及び計数結果をバッチカードの識別情報と対応付けてメモリ１５１ｂに記憶する。例えば、主制御部１５１は、デポジットカード５４であると識別した場合に、デポジットカード画像及び計数結果をバッチカードの識別情報と対応付けてメモリ１５１ｂに記憶する。また、例えば、主制御部１５１は、排除券と判定した紙葉類の画像をバッチカードの識別情報と対応付けてメモリ１５１ｂに記憶する構成であってもよい。
【００７８】
また、操作員は、排除券束を確認し、排除券束内の紙葉類Ｐを確認する。操作員は、排除券束内の真券の枚数を確認し、操作表示部１３７により真券の枚数を入力する。これにより、紙葉類処理装置１００は、機械的に計数した紙葉類Ｐの枚数と、操作員が確認した紙葉類Ｐの枚数との合計である計数結果を得ることができる。
【００７９】
さらに、紙葉類処理装置１００は、入力された枚数をバッチカード５３の識別情報と対応付けてサーバ３００に送信する。これにより、サーバ３００は、機械的に計数した紙葉類Ｐの枚数と、操作員が確認した紙葉類Ｐの枚数との合計である計数結果を得ることができる。
【００８０】
サーバ３００は、検査結果が正しいか否か判断する（ステップＳ１６）。例えば、サーバ３００は、真券であると確認された紙葉類Ｐの枚数が予め定められた数であるか否か判断する。
【００８１】
真券であると確認された紙葉類Ｐの枚数が予め定められた数である場合、サーバ３００は、検査結果が正しいと判断する。この場合、サーバ３００は、正常終了であることを示す情報を紙葉類処理装置１００に送信する。紙葉類処理装置１００は、操作表示部１３７に検査が正常終了したことを示す情報を表示させ（ステップＳ１７）、処理を終了する。
【００８２】
また、真券であると確認された紙葉類Ｐの枚数が予め定められた数ではない場合、サーバ３００は、検査結果が異常であると判断する。この場合、サーバ３００は、異常が発生したことを示す情報を紙葉類処理装置１００に送信する。紙葉類処理装置１００は、操作表示部１３７に異常が発生したことを示す情報を表示させる（ステップＳ１８）。
【００８３】
真券であると確認された紙葉類Ｐの枚数が予め定められた数ではない場合、束５５に偽券が紛れ込んでいた、または束５５の紙葉類Ｐの枚数に過不足があったなどの不突合が存在する可能性がある。この場合、サーバ３００及び紙葉類処理装置１００は、不突合が存在する旨を操作員に報知する。また、紙葉類処理装置１００は、サーバ３００から異常が発生したことを示す情報が通知された場合、デポジットカード５４から取得したデポジットカード画像と、デポジット情報を入力する為の入力画面とを操作表示部１３７に表示させる。これにより、紙葉類処理装置１００は、デポジット情報を入力させることを操作員に促すことができる。
【００８４】
さらに、紙葉類処理装置１００は、バッチカード５３の識別情報と、計数結果と、入力されたデポジット情報とを対応付けて保守レポートを作成する。紙葉類処理装置１００は、保守レポートをサーバ３００に送信する。サーバ３００は、保守レポートに基づいて、検査結果にデポジット情報を付加することができる。
【００８５】
さらに、紙葉類処理装置１００は、サーバ３００から異常が発生したことを示す情報が通知された場合、一時的に操作及び集積庫をロックする構成であってもよい。紙葉類処理装置１００は、保守レポートをプリンタ１４１により印刷する構成であってもよい。なお、紙葉類処理装置１００は、一つのシフトの中の束５５をすべて処理した場合、シフト内の検査結果と処理予定情報とを一括して消去する。
【００８６】
また、紙葉類処理装置１００の主制御部１５１は、バッチカード５３の識別情報に基づいて、計数情報及びデポジットカード５４の画像を検索することができる。即ち、主制御部１５１は、バッチカード５３の識別情報をキーとしてメモリ１５１ｂを参照し、一致する識別情報に対応付けられている計数結果及びデポジットカード画像を検索することができる。
【００８７】
なお、紙葉類処理システム１は、再検査装置２００により排除券束を処理する構成であってもよい。この場合、操作員は、再検査装置２００を起動し、種々の設定を行う。操作員は、排除券束を再検査装置２００に投入し、再検査処理を開始させる。
【００８８】
処理を開始した場合、再検査装置２００は、紙葉類Ｐを一枚ずつ取り込む。これにより、再検査装置２００は、紙葉類Ｐを再検査装置２００の検査部（図示せず）に搬送する。さらに、再検査装置２００は、検査部画像読取部により紙葉類Ｐの画像を取得する。
【００８９】
なお、排除券束にはバッチカード５３及びデポジットカード５４が重ねられている。操作員は、バッチカード５３が最初に再検査装置２００に取り込まれるように排除券束をセットする。これにより、再検査装置２００は、バッチカード５３、紙葉類処理装置１００で排除された紙葉類Ｐ、デポジットカード５４の順に処理する。
【００９０】
再検査装置２００は、検査部で検知された情報に基づいて、識別処理を行う。これにより、再検査装置２００は、紙葉類Ｐの真偽、正損、及びカテゴリを識別する。さらに、再検査装置２００は、識別結果に応じた集積庫に紙葉類Ｐを区分する。例えば、再検査装置２００は、偽券と判定された紙葉類Ｐ、または厚み検査部１１９により重なりが検知された紙葉類Ｐ、または判別が不可能であった紙葉類Ｐを排除券と判定する。再検査装置２００は、排除券であると判定した紙葉類Ｐを排除集積部（図示せず）に搬送する。
【００９１】
また、排除券束を処理する場合、再検査装置２００は、最後にデポジットカード５４を処理することになる。この場合、再検査装置２００は、デポジットカード５４のデポジットカード画像を最後に取得する。
【００９２】
再検査装置２００は、デポジットカード５４を排除券であると判定する。再検査装置２００は、排除券であると判定したデポジットカード５４を排除集積部に搬送する。
【００９３】
再検査装置２００は、後続の紙葉類Ｐが存在しないと判断した場合、バッチカード５３から読み取った識別情報と、紙葉類Ｐの計数結果とを対応付け、再検査結果を取得する。再検査装置２００は、再検査結果をサーバ３００に送信する。
【００９４】
また、再検査装置２００の操作員は、排除券束を確認し、排除券束内の紙葉類Ｐを確認する。操作員は、排除券束内の真券の枚数を確認し、再検査装置２００に入力する。これにより、再検査装置２００は、機械的に計数した紙葉類Ｐの枚数と、操作員が確認した紙葉類Ｐの枚数との合計である計数結果を得ることができる。
【００９５】
さらに、再検査装置２００は、入力された枚数をバッチカード５３の識別情報と対応付けてサーバ３００に送信する。これにより、サーバ３００は、機械的に計数した紙葉類Ｐの枚数と、操作員が確認した紙葉類Ｐの枚数との合計である計数結果を得ることができる。
【００９６】
なお、再検査装置２００は、デポジットカード画像及び計数結果をバッチカードの識別情報と対応付けて記憶部（図示せず）に記憶する。例えば、再検査装置２００は、デポジットカード５４であると識別した場合に、デポジットカード画像及び計数結果をバッチカードの識別情報と対応付けて記憶部に記憶する。また、例えば、再検査装置２００は、排除券と判定した紙葉類の画像をバッチカードの識別情報と対応付けて記憶部に記憶する構成であってもよい。
【００９７】
サーバ３００は、再検査装置２００から送信された再検査結果を紙葉類処理装置１００から送信された検査結果に組み合わせ、組み合わされた検査結果をサーバ３００内の記憶媒体に格納する。例えば、サーバ３００は、再検査結果を、再検査結果に含まれている識別情報と一致する識別情報を含む検査結果に加算する。これにより、サーバ３００は、紙葉類処理装置１００または再検査装置２００により真券（正券と損券とを含む）と判別された紙葉類Ｐの枚数と、操作員により真券であると確認された紙葉類Ｐとの合計を算出する。
【００９８】
サーバ３００は、検査結果が正しいか否か判断する。例えば、サーバ３００は、真券であると確認された紙葉類Ｐの枚数が予め定められた数であるか否か判断する。
【００９９】
真券であると確認された紙葉類Ｐの枚数が予め定められた数である場合、サーバ３００は、検査結果が正しいと判断する。この場合、サーバ３００は、正常終了であることを示す情報を再検査装置２００に送信する。再検査装置２００は、表示部（図示せず）に検査が正常終了したことを示す情報を表示させ、処理を終了する。
【０１００】
また、真券であると確認された紙葉類Ｐの枚数が予め定められた数ではない場合、サーバ３００は、検査結果が異常であると判断する。この場合、サーバ３００は、異常が発生したことを示す情報を再検査装置２００に送信する。再検査装置２００は、表示部に異常が発生したことを示す情報を表示させる。
【０１０１】
真券であると確認された紙葉類Ｐの枚数が予め定められた数ではない場合、束５５に偽券が紛れ込んでいた、または束５５の紙葉類Ｐの枚数に過不足があったなどの不突合が存在する可能性がある。この場合、サーバ３００及び再検査装置２００は、不突合が存在する旨を操作員に報知する。また、再検査装置２００は、サーバ３００から異常が発生したことを示す情報が通知された場合、デポジットカード５４から取得したデポジットカード画像と、デポジット情報を入力する為の入力画面とを表示部に表示させる。これにより、再検査装置２００は、デポジット情報を入力させることを操作員に促すことができる。
【０１０２】
さらに、再検査装置２００は、バッチカード５３の識別情報と、計数結果と、入力されたデポジット情報とを対応付けて保守レポートを作成する。再検査装置２００は、保守レポートをサーバ３００に送信する。サーバ３００は、保守レポートに基づいて、検査結果にデポジット情報を付加することができる。
【０１０３】
さらに、再検査装置２００は、サーバ３００から異常が発生したことを示す情報が通知された場合、一時的に操作及び集積庫をロックする構成であってもよい。また、再検査装置２００は、保守レポートをプリンタ（図示せず）により印刷する構成であってもよい。
【０１０４】
また、再検査装置２００は、バッチカード５３の識別情報に基づいて、計数情報及びデポジットカード５４の画像を検索することができる。即ち、再検査装置２００は、バッチカード５３の識別情報をキーとして記憶部を参照し、一致する識別情報に対応付けられている計数結果及びデポジットカード画像を検索することができる。
【０１０５】
なお、サーバ３００が検査結果、バッチカード５３の識別情報、及びデポジットカード画像を一元的に管理している場合、紙葉類処理装置１００及び再検査装置２００は、バッチカード５３の識別情報をサーバ３００に送信する。サーバ３００は、バッチカード５３の識別情報を受信した場合、識別情報をキーとして記憶媒体を参照し、一致する識別情報に対応付けられている検査結果及びデポジットカード画像を検索する。サーバ３００は、検索した検査結果及びデポジットカード画像を紙葉類処理装置１００または再検査装置２００に送信する。
【０１０６】
上記したように、紙葉類処理システム１の紙葉類処理装置１００及び再検査装置２００は、バッチカード５３と、デポジットカード５４とが紙葉類Ｐを挟むように束ねられた紙葉類Ｐの束５５を処理する。さらに、紙葉類処理装置１００及び再検査装置２００は、バッチカード５３と、排除券と判定された紙葉類Ｐと、デポジットカード５４と、を重ねた状態で排除する。これにより、不突合発生時であっても、紙葉類処理装置１００及び再検査装置２００は、デポジットカード５４とバッチカード５３とを重ねた状態で集積することができる。これにより、不突合発生時に操作員がデポジットカード５４を探す必要がなくなる。
【０１０７】
またさらに、紙葉類処理装置１００及び再検査装置２００は、バッチカード５３の識別情報、デポジットカード画像、及び計数結果を対応付けて記憶する。これにより、紙葉類処理装置１００及び再検査装置２００は、バッチカード５３の識別情報をキーとして計数結果及びデポジットカード画像を検索することができる。また、紙葉類処理装置１００及び再検査装置２００は、デポジットカード画像を不突合のエビデンスとして保管することができる。
【０１０８】
さらに、紙葉類処理装置１００及び再検査装置２００は、不突合発生時にデポジットカード画像とデポジット情報を入力する為の画面を表示し、デポジット情報の入力を促す。この結果、シフト内の全ての束５５のデポジット情報を入力する必要がなくなる。これにより、紙葉類処理装置１００及び再検査装置２００は、デポジット情報を人手により入力する手間を省くことができる。
【０１０９】
この結果、より効率的に紙葉類を処理することができる紙葉類処理方法、及び紙葉類処理システムを提供することができる。
【０１１０】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１１１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１１２】
１…紙葉類処理システム、５３…バッチカード、５４…デポジットカード、５５…束、１００…紙葉類処理装置、１１２…投入部、１１３…取出部、１１４…吸着ローラ、１１５…搬送路、１１６…検査部、１１７…画像読取装置、１１８…画像読取装置、１１９…厚み検査部、１２０…ゲート、１２５…ゲート、１２６…排除搬送路、１２７…排除集積部、１３２…集積・結束部、１３３…裁断部、１３４…スタッカ、１３６…操作部、１３７…操作表示部、１４０…キーボード、１５１…主制御部、１５１ａ…メモリ、１５１ｂ…メモリ、１５２…搬送制御部、１５６…裁断制御部、２００…再検査装置、３００…サーバ。
【図１】
2014178863.tif 000003
【図２】
2014178863.tif 000004
【図３】
2014178863.tif 000005
【図４】
2014178863.tif 000006
【図５】
2014178863.tif 000007
【図６】
2014178863.tif 000008
【図７】
2014178863.tif 000009
【図８】
2014178863.tif 000010